(57)【特許請求の範囲】
【請求項１】
硬貨処理装置で処理された硬貨を放出する開口の形成された不透明な隔壁に取り付けられる、前記開口を覆う透明な硬貨放出口カバーにおいて；
ほぼ長方形の板状部と；
該長方形の２つの短辺部のそれぞれに、該板状部にほぼ垂直に形成された２つの側壁と；
該長方形の１つの長辺部に、該板状部に対して傾斜して形成されたタブとを備え；
前記タブには、該タブを前記隔壁に固着させるネジ穴が明けられたことを特徴とする；
硬貨放出口カバー。
【請求項２】
請求項１に記載の硬貨放出口カバーと；
前記処理された硬貨を放出する硬貨シュートと；
前記放出された硬貨を受ける硬貨受け皿と；
前記硬貨シュートと前記硬貨受け皿との間を区画する前記不透明な隔壁とを備え；
前記硬貨放出口カバーが、前記隔壁の前記硬貨受け皿側に取り付けられたことを特徴とする；
自動販売機。
【請求項３】
請求項１に記載の硬貨放出口カバーと；
前記処理された硬貨を案内する底壁を有し、該底壁に沿って前記案内した硬貨を放出する硬貨シュートと；
前記底壁に連続した斜面であって、水平面に対して傾斜した斜面の形成された硬貨受け皿と；
前記硬貨シュートと前記硬貨受け皿との間を区画する前記不透明な隔壁とを備え；
前記隔壁は、前記底壁と前記斜面との鉛直方向ほぼ上方に、前記硬貨シュートが放出した硬貨が通過する前記開口が形成され；
前記硬貨放出口カバーが、前記隔壁の前記硬貨受け皿側に取り付けられたことを特徴とする；
自動販売機。
【発明の詳細な説明】
【０００１】
【発明の属する技術分野】
本発明は、自動販売機に関し、特に硬貨放出口にガム等を張り付けることを防止するカバーを取り付けた自動販売機に関するものである。
【０００２】
【従来の技術】
自動券売機を含む自動販売機には、硬貨処理装置が内蔵され、硬貨処理装置から放出された釣銭は硬貨シュートを通り、さらに硬貨放出口を通って硬貨受け皿に送られ利用者に返還される。
【０００３】
【発明が解決しようとする課題】
以上のような自動販売機、特に自動券売機に対し、硬貨放出口の、利用者から見えない箇所に噛み終わったガムを張り付ける等の悪戯が横行している。これは、釣銭の放出を阻害し、あわよくば釣銭を、粘着力を有するガムの部分に残留させ、残留した釣銭を盗むためである。
【０００４】
そこで本発明は、硬貨放出口の近傍にガム等を張り付けることを防止するとともに、ガム等が張り付けられた場合でも、ガム等を利用者が容易に視認することができる自動販売機、およびそのような自動販売機に使用する好適な硬貨放出口カバーを提供することを目的としている。
【０００５】
【課題を解決するための手段】
上記目的を達成するために、請求項１に係る発明による硬貨放出口カバーは、硬貨処理装置で処理された硬貨を放出する開口の形成された不透明な隔壁に取り付けられる、前記開口を覆う透明な硬貨放出口カバーにおいて；ほぼ長方形の板状部と；該長方形の２つの短辺部のそれぞれに、該板状部にほぼ垂直に形成された２つの側壁と；該長方形の１つの長辺部に、該板状部に対して傾斜して形成されたタブとを備え；前記タブには、該タブを前記隔壁に固着させるネジ穴が明けられたことを特徴とする。
【０００６】
上記目的を達成するために、請求項２に係る発明による自動販売機は、図３に示すように、請求項１に記載の硬貨放出口カバーと；前記処理された硬貨を放出する硬貨シュート７０と；前記放出された硬貨を受ける硬貨受け皿２３と；硬貨シュート７０と硬貨受け皿２３との間を区画する不透明な隔壁２５とを備え；硬貨放出口カバー６２が、隔壁２５の硬貨受け皿２３側に取り付けられたことを特徴とする。
上記目的を達成するために、請求項３に係る発明による自動販売機は、図３に示すように、請求項１に記載の硬貨放出口カバーと；前記処理された硬貨を案内する底壁６１を有し、底壁６１に沿って前記案内した硬貨を放出する硬貨シュート７０と；底壁６１に連続した斜面２７であって、水平面に対して傾斜した斜面２７の形成された硬貨受け皿２３と；硬貨シュート７０と硬貨受け皿２３との間を区画する不透明な隔壁２５とを備え；隔壁２５は、底壁６１と斜面２７との鉛直方向ほぼ上方に、前記硬貨シュートが放出した硬貨が通過する開口４２が形成され；硬貨放出口カバー６２が、隔壁２５の硬貨受け皿２３側に取り付けられたことを特徴とする。
【０００７】
このように構成すると、請求項１に記載の透明な硬貨放出口カバーを備えるので、隔壁または硬貨シュートの利用者から見えない所にガム等を張り付けることを防止し、また当該硬貨放出口カバーにガム等を張り付けても透明であるので、利用者はこれを視認することができる。硬貨は、硬貨シュートの底壁を通り、隔壁の開口を通過して、硬貨受け皿の斜面を通り硬貨受け皿に放出される。
【０００８】
透明なカバーは、開口を覆うが、受け皿の斜面との間には、硬貨が滑動又は転動して通過するのに十分な隙間が残るように構成されている。その隙間は、開口に人間の指が届かない程度、少なくとも開口の上端に届かない程度の狭い隙間とする。
【０００９】
前記透明なカバーは、前記隔壁とは別体に形成され；該透明なカバーを該隔壁に固着させるネジを備え；前記ネジは、プラス又はマイナスドライバー以外のドライバーでねじ込むネジであることを特徴とするようにしてもよい。そのようなネジは、例えば、滑らかな円形のヘッドを有するネジ、ヘッドの長手方向の断面が楕円形をした所謂シンクネジと呼ばれるネジである。
【００１０】
【発明の実施の形態】
以下、本発明の実施の形態について、図面を参照して説明する。なお、各図において互いに同一あるいは相当する部材には同一符号を付し、重複した説明は省略する。
【００１１】
図１（Ａ）、（Ｂ）に示すように、自動販売機としての自動券売機１０１は乗車券を購入する利用客に、例えば発売中、発売中止などの情報を提供する垂直接客面２１と、利用客が操作する傾斜接客面２２とを正面に有し、各種制御を行う主制御部６０と、貨幣（紙幣、硬貨）を処理する貨幣処理装置２０と、乗車券を発行する発券装置５０とを内部に収納している。貨幣処理装置２０は、紙幣処理装置３０と硬貨処理装置４０とを含んで構成される。
【００１２】
図２に示すように、傾斜接客面２２には利用者が購入する乗車券の券種に対応した口座を選択するための、口座選択ボタン１〜１１が配設されている。口座選択ボタン１〜１１は、利用者が購入する乗車券の券種を選択するためのもので、乗車料金ごとに区分されて配置されている。
【００１３】
傾斜接客面２２には、さらに紙幣を挿入するための紙幣挿入口３１と、硬貨を投入するための硬貨投入口４１と、釣紙幣を送出するための紙幣送出口３２と、釣銭（返却硬貨を含む。）を放出するための釣銭放出口４２と、釣銭放出口４２から放出された釣銭を一時的に受ける硬貨受け皿２３と、発行された乗車券を放出する券放出口５１とが配設されている。利用者は購入した乗車券を券放出口５１から、釣紙幣を紙幣送出口３２から、釣銭を硬貨受け皿２３から手にすることができる。
【００１４】
次に、図３の断面図を参照して自動券売機１０１（図１参照）の硬貨受け皿２３の周辺の構造を説明する。
傾斜接客面２２の下端部近くに硬貨受け皿２３が配置されている。傾斜接客面２２に設けられた硬貨受け皿２３の上部近傍の部分は凹んで凹部２４を形成している。凹部２４は底の部分を形成する硬貨受け皿２３と、利用者に対向して略鉛直に配置され、不透明な材質からなる隔壁２５と、隔壁２５に対して直角であって鉛直に配置された側壁２６（図２参照）を含んで構成されている。
【００１５】
硬貨受け皿２３は、水平面に対して傾斜し、利用者に近づく方向に約３０度の角度で下がる斜面２７と、斜面２７に連なり略水平な底面７５と、底面７５から略鉛直方向上方に立ち上げられた掻き上げ面７６と、これらの面を接続する一対の側面７７とにより画成されている。隔壁２５の下部で利用者から見て左側（図２参照）に本発明の開口としての略長方形の釣銭放出口４２が形成されている。斜面２７の最もせり上がった部分が釣銭放出口４２の下端部を形成している。言い換えれば釣銭放出口４２は、斜面２７の上方に位置する。
【００１６】
斜面２７に連続し、水平方向に対して約３０度傾いた底壁６１と、底壁６１に対して直立して設けられた一対の側壁２９により、硬貨シュート７０が形成されている。硬貨シュート７０は硬貨処理装置４０の一部を構成する。釣銭は硬貨シュート７０内部を通過するとき隔壁２５、側壁２９に当たりながら移動する。隔壁２５の外側部（利用者に面する側）の下部には、透明な材質からなる硬貨放出口カバー６２が取り付けられている。隔壁２５は、硬貨シュート７０と硬貨受け皿２３との間を区画する。
【００１７】
硬貨シュート７０の底壁６１と、硬貨受け皿２３の斜面２７とは、連続する面を形成するが、必ずしも同一平面を形成する必要はない。接続箇所で異なる角度で傾斜していてもよい。釣銭放出口４２は、底壁６１の上方に位置する。透明な材質からなる硬貨放出口カバー６２は、全体が透明ではなくても、透明な部分を含み、釣銭放出口４２、硬貨受け皿２３上の釣銭を視認することができる硬貨放出口カバー６２をも含むものとする。
【００１８】
図４（Ａ）と、図４（Ａ）のＡ矢視図である図４（Ｂ）に示すように、硬貨放出口カバー６２は、略長方形の板状部６３と、略長方形の短辺部に配置され、板状部６３にほぼ垂直に形成された側壁６４と、略長方形の長辺部に配置され、板状部６３に対して傾斜して配置されたタブ６５とを備える。板状部６３は平面板形状をなす。硬貨放出口カバー６２は、さらに利用者から見て右側の側壁６４に隣接して側壁タブ６６を備える。側壁６４の板状部６３とは反対側の端部６４Ａ、および側壁タブ６６の板状部６３とは反対側の端部６６Ａは、隔壁２５（図３参照）の外側部の表面に接触するよう構成されている。タブ６５には、タブ６５を隔壁２５に固着させるシンクネジ６９（図３参照）用のネジ穴６７が形成されている。側壁タブ６６の端部６６Ａには、側壁タブ６６を隔壁２５に固着させるネジ７１（図３参照）用のネジ穴６８が形成されている。
【００１９】
図３に示すように、ネジ穴６７には前述のシンクネジ６９が差し込まれ、硬貨放出口カバー６２が隔壁２５の外側部（硬貨受け皿２３側）に取り付けられ、シンクネジ６９は隔壁２５に形成された孔７４を貫通し、隔壁２５の内側からナット６９Ａによって締め付けられる。シンクネジ６９のヘッドの長手方向の断面は滑らかな半楕円形である。よって、極く一般的に入手できるドライバーであるプラスあるいはマイナスドライバーによって、外部から簡単に取り外される虞がなく、硬貨放出口カバー６２を取り外す行為を容易に防止することができる。ネジ穴６８には前述のネジ７１が隔壁２５の内側から、隔壁２５に形成された孔７２を貫通して、挿入される。
【００２０】
硬貨放出口カバー６２は、釣銭放出口４２を覆うが、釣銭放出口４２は釣銭が滑動または転動しながら通貨できる開口部７３を残している。この開口部７３の大きさは、釣銭が通過できるように十分に大きくする。また、人間が開口部７３から内部に指を入れた場合、隔壁２５の内側部に指が到達せず、少なくともガム等の異物を、隔壁２５の内側部、硬貨シュート７０の底壁６１、側壁２９等の利用者から見えない部分に張り付けることができない大きさに形成する。
【００２１】
硬貨放出口カバー６２の内側部にガム等を張り付けることができるが、硬貨放出口カバー６２は透明な材料からなるので、利用者は釣銭放出口４２を視認し、張り付けられたガム等があれば、これを容易に視認することができ、釣銭がガム等に張り付けば、これを認識できる。また、放出された釣銭が何らかの理由により、硬貨受け皿２３上で硬貨放出口カバー６２の内側に留まった場合であっても、利用者は硬貨を視認できる。また、開口部７３は利用者が硬貨放出口カバー６２の内側部に指を入れ、内部に残留している硬貨を取り出させるよう十分大きく形成されている。
【００２２】
硬貨処理装置４０から放出された釣銭は、硬貨シュート７０の底壁６１を滑動または転動し、釣銭放出口４２を通過し、硬貨受け皿２３の斜面２７を滑動または転動し、開口部７３を通過し硬貨受け皿２３に受け入れられる。硬貨放出口カバー６２を設けたので、隔壁２５または硬貨シュート７０の利用者から見えないところにガム等が張り付けられることがないので、利用者に釣銭を確実に返却することができる。
【００２３】
【発明の効果】
以上のように本発明によれば、透明な硬貨放出口カバーを設けたので、隔壁または硬貨シュートの利用者から見えない所にガム等を張り付けることを防止し、またカバーにガム等を張り付けても透明であるので、利用者はこれを視認することができる。
【図面の簡単な説明】
【図１】本発明の実施の形態に係る自動券売機の外形図である。（Ａ）は側面図であり、（Ｂ）は背面図である。
【図２】図１の自動券売機の接客面の図面である。
【図３】図１の自動券売機の硬貨放出口カバーの近傍の断面図である。
【図４】硬貨放出口カバーの図面である。（Ａ）は正面図、（Ｂ）は（Ａ）のＡ矢視図である。
【符号の説明】
２３  硬貨受け皿
２４  凹部
２５  隔壁
２６  側壁
２７  斜面
２９  側壁
４２  釣銭放出口
６１  底壁
６２  硬貨放出口カバー
６３  板状部
６４  側壁
６５  タブ
６６  側壁タブ
６７  ネジ穴
６８  ネジ穴
６９  シンクネジ
７０  硬貨放出シュート
７１  ネジ
７２  孔
７３  開口部
７４  孔
７５  底面
７６  掻き上げ面
７７  側面
１０１  自動券売機
【図１】
0004414536.tif 000002
【図２】
0004414536.tif 000003
【図３】
0004414536.tif 000004
【図４】
0004414536.tif 000005